(57)【要約】【課題】ＬＥＤ基板からの板金突合せ部等の意図しない箇所からの光漏れやＬＥＤ基板への油煙や蒸気の進入を防ぐことができることを目的とする。【解決手段】基板ホルダー６とＬＥＤ基板８を覆うレンズ１２有したカバー１１を設け、基板ホルダー６の偏光部１０の下方の周縁部の全周１４を、レンズ１２の外周部でかつカバー１１に連接し設置したという構成にしたことにより、ＬＥＤ素子７から出た光は偏光部１０内のみ照射され、油煙や蒸気は基板ホルダー６の偏光部１０の下方の周縁部の全周１４とカバー１１とが接触している箇所で基板ホルダー６内部への侵入を防ぐこととなり、ＬＥＤ素子７からの光が薄型のフード部５とカバー１１の隙間すなわち板金突合せ部等の意図しない箇所から漏れることや、外部からＬＥＤ基板８へ油煙や蒸気の進入を防ぐことができるレンジフードを得られる。【選択図】図２
2015187529.tif 000002
【特許請求の範囲】
【請求項１】
調理器の上方に設置され、内部にシロッコファンを有するファンケーシングを備えた送風装置と、前記送風装置の下部に下方に開口する薄型のフード部と、を備え、前記フード部の前方に下方に向けて斜めに設置された複数個のＬＥＤからなる照明装置と、前記照明装置は前記薄型のフード部側に固定した複数個のＬＥＤ素子で構成されたＬＥＤ基板を取り付けるＬＥＤ取付部の全周から下方に向けて広がるような偏光部を有した基板ホルダーと、前記基板ホルダーとＬＥＤ基板を覆うレンズ有したカバーを設け、前記基板ホルダーの前記偏光部の下方の周縁部の全周を、前記レンズの外周部でかつ前記カバーに連接し設置したことを特徴とするレンジフード。
【請求項２】
偏光部の下方の周縁部にパッキンを設けたことを特徴とする請求項１に記載のレンジフード。
【発明の詳細な説明】
【技術分野】
【０００１】
本発明は、調理機器の上方に設置され、ＬＥＤ照明装置を有するレンジフードに関する。
【背景技術】
【０００２】
従来、この種のレンジフードは、フードとＬＥＤ照明を一体化して、その接続面を平面としたレンジフードが知られている。（例えば、特許文献１参照）。
【０００３】
以下、そのレンジフードについて図４を参照しながら説明する。
【０００４】
図４に示すように、調理器上方に設置され、下面に吸込口を設けたフード部１０１と、前記フード部の上方に吹出口を設けた本体１０２と、本体１０２の内部に調理時に発生する水蒸気や油煙を室外に排出する送風機１０３とを設けたものであって、本体１０２の下面の前方に本体１０２に内蔵されるＬＥＤ照明１０４とＬＥＤ照明の光の透過部であるＬＥＤ照明レンズ１０５が備えられており、本体１０２とＬＥＤ照明レンズ１０５の表面が平滑に設置されている。
【先行技術文献】
【特許文献】
【０００５】
【特許文献１】特開２００７−７８２２３号公報
【発明の概要】
【発明が解決しようとする課題】
【０００６】
このような従来のレンジフードにおいては、本体と本体の下面の前方に設置されているＬＥＤ照明の光の透過部であるＬＥＤ照明レンズとが平滑に設置おり、使用者がＬＥＤ照明の光を直接覗き込むことができるため眩しく感じるという課題を有しており、この課題を解決するためには、薄型のレンジフードに対して、照明装置の取付面を前方から斜め後方に向けて設置するが、照明装置を薄型のフード内部に直接設置することがスペース上困難であるため、ＬＥＤ基板をフード本体側へ取付け、別途ＬＥＤ照明を覆うためのカバーが必要となり、その際に、ＬＥＤ素子からの光がフード本体とカバーの板金突合せ部等の意図しない箇所から漏れることや、外部からＬＥＤ基板へ油煙や蒸気の進入する、という課題を有していた。
【０００７】
そこで本発明は、上記従来の課題を解決するものであり、ＬＥＤ素子からの光がフード本体とカバーとの隙間すなわち板金突合せ部等の意図しない箇所から漏れることや、外部からＬＥＤ基板へ油煙や蒸気の進入を防ぐことができるレンジフードを提供することを目的とする。
【課題を解決するための手段】
【０００８】
そして、この目的を達成するために、本発明は、調理器の上方に設置され、内部にシロッコファンを有するファンケーシングを備えた送風装置と、前記送風装置の下部に下方に開口する薄型のフード部とを備え、前記フード部の前方に下方に向けて斜めに設置された複数個のＬＥＤからなる照明装置と、前記照明装置は前記フード部側に固定した複数個のＬＥＤ素子で構成されたＬＥＤ基板を取り付けるＬＥＤ取付部の全周から下方に向けて広がるような偏光部を有した基板ホルダーと、前記基板ホルダーとＬＥＤ基板を覆うレンズを有したカバーを設け、前記基板ホルダーの前記偏光部の下方の周縁部の全周を、前記レンズの外周部でかつ前記カバーに連接し設置したこととしたものであり、これにより所期の目的を達成するものである。
【発明の効果】
【０００９】
本発明によれば、調理器の上方に設置され、内部にシロッコファンを有するファンケーシングを備えた送風装置と、前記送風装置の下部に下方に開口する薄型のフード部とを備え、前記フード部の前方に下方に向けて斜めに設置された複数個のＬＥＤからなる照明装置と、前記照明装置は前記フード部側に固定した複数個のＬＥＤ素子で構成されたＬＥＤ基板を取り付けるＬＥＤ取付部の全周から下方に向けて広がるような偏光部を有した基板ホルダーと、前記基板ホルダーとＬＥＤ基板を覆うレンズ有したカバーを設け、前記基板ホルダーの前記偏光部の下方の周縁部の全周を、前記レンズの外周部でかつ前記カバーに連接し設置した、という構成にしたことにより、ＬＥＤ素子から出た光は偏光部内のみ照射され、油煙や蒸気は基板ホルダーの偏光部の下方の周辺部の全周とカバーとが連接している箇所で基板ホルダー内部への侵入を防ぐこととなるので、ＬＥＤ素子からの光がフード本体とカバーの板金突合せ部等の意図しない箇所から漏れることや、外部からＬＥＤ基板へ油煙や蒸気の進入を防ぐことができる、という効果を得ることができる。
【図面の簡単な説明】
【００１０】
【図１】本発明の実施の形態１のレンジフードの示す側面構成図
【図２】同レンジフードの照明装置を示す詳細側面構成図
【図３】本発明の実施の形態２のレンジフードの照明装置を示す詳細側面構成図
【図４】従来のレンジフードを示す下方からの斜視図
【発明を実施するための形態】
【００１１】
本発明の請求項１記載のレンジフードは、調理器の上方に設置され、内部にシロッコファンを有するファンケーシングを備えた送風装置と、前記送風装置の下部に下方に開口する薄型のフード部とを備え、前記フード部の前方に下方に向けて斜めに設置された複数個のＬＥＤ素子からなる照明装置と、前記照明装置は前記フード部側に固定した複数個のＬＥＤ素子で構成されたＬＥＤ基板を取り付けるＬＥＤ取付部の全周から下方に向けて広がるような偏光部を有した基板ホルダーと、前記基板ホルダーとＬＥＤ基板を覆うレンズ有したカバーを設け、前記基板ホルダーの前記偏光部の下方の周縁部の全周を、前記レンズの外周部でかつ前記カバーに連接し設置した、という構成を有する。これにより、ＬＥＤ素子から出た光は偏光部内のみ照射され、油煙や蒸気は基板ホルダーの偏光部の下方の周辺部の全周とカバーとが接触している箇所でホルダー内部への侵入を防ぐこととなるので、ＬＥＤ素子からの光がフード本体とカバーの隙間すなわち板金突合せ部等の意図しない箇所から漏れることや、外部からＬＥＤ基板へ油煙や蒸気の進入を防ぐことができる、という効果を奏する。
【００１２】
また、偏光部の下方の周縁部にパッキンを設けた、という構成にしてもよい。これにより、油煙や蒸気は偏光部の下方の周辺部に設けているパッキンで基板ホルダー内部への侵入を防ぐこととなるので、ＬＥＤ素子からの光がフード本体とカバーの板金突合せ部等の意図しない箇所から漏れることや、外部からＬＥＤ基板へ油煙や蒸気の進入を更に防ぐことができる、という効果を奏する。
【００１３】
以下、本発明の実施の形態について図面を参照しながら説明する。
【００１４】
（実施の形態１）
図１に示すように、ＩＨコンロやガスコンロ等の加熱調理器（図示せず）の上方に設置されるレンジフードは、レンジフードの内部にシロッコファン２を有するファンケーシング３を備えた送風装置４と、送風装置４の下部に下方に開口する逆お椀状の薄型のフード部５から構成され、薄型のフード部５の調理者側である前方の凹状である内表面側に加熱調理器の表面を照射するためのＬＥＤで照射する照明装置１が設置される。
【００１５】
そして、照明装置１は、加熱調理器の全表面を均一に照射し、且つ、調理者が調理中にＬＥＤ照明の光を直接覗き込むことを防止するために、照明装置１は、前方から斜め下方の後方に向けて設置する。
【００１６】
そして、図２に示すように、基板ホルダー６は、複数のＬＥＤ素子７を備えたＬＥＤ基板８を保持し、薄型のフード部５の内表面側に、ＬＥＤ素子７が斜め下方の後方に向くように固定する。
【００１７】
そして、基板ホルダー６は、ＬＥＤ基板８を取り付けるために平坦形状をしたＬＥＤ基板取付部９と、ＬＥＤ基板取付部９の周縁から筒状に広がるように開口した偏光部１０から構成し、ＬＥＤ基板取付部９は、薄型のフード部５の前方から斜め下方の後方に向けて角度を設けて構成する。
【００１８】
そして、偏光部１０は、ＬＥＤ素子７から照射された光を偏光させて加熱調理器の全表面に均一に照射するように設置し、偏光部１０とＬＥＤ基板取付部９となす角度は、加熱調理器上の要求される照射範囲に従って、変更することが可能である。
【００１９】
そして、カバー１１は、基板ホルダー６とＬＥＤ基板８とを包含するように、薄型のフード部５の内側表面に固定する。
【００２０】
カバー１１には、ＬＥＤ素子７から照射された光を拡散させるためのレンズ１２を取付け、レンズ取付面１３は、ＬＥＤ基板取付部９と同様に前方から斜め下方の後方に向けて角度を設けて構成する。
【００２１】
基板ホルダー６の偏光部１０の下方の周縁部の全周１４は、レンズ１２の外周部に位置し、カバー１１のレンズ取付面１３に連接するように設置する。
【００２２】
これにより、ＬＥＤ素子７から出た光は偏光部１０内に照射され、油煙や蒸気は基板ホルダー６の偏光部１０の下方の周縁部の全周１４とカバー１１とが接触しているので基板ホルダー６内部への侵入を防ぐこととなり、ＬＥＤ素子７からの光が薄型のフード部５とカバー１１との隙間すなわち板金突合せ部等の意図しない箇所から光が漏れることや、外部からＬＥＤ基板８へ油煙や蒸気の進入を防ぐことができる。
【００２３】
（実施の形態２）
図３に示すように、偏光部１０の下方の周縁部の全周１４にパッキン１５を設ける。
【００２４】
これにより、煙や蒸気は偏光部の下方の周縁部の全周１４に設けているパッキンで基板ホルダー６の内部への侵入を防ぐこととなるので、ＬＥＤ素子７からの光が薄型のフード部５とカバー１１との隙間すなわち板金突合せ部等の意図しない箇所から漏れることや、外部からＬＥＤ基板へ油煙や蒸気の進入を更に防ぐことができる。
【産業上の利用可能性】
【００２５】
本発明にかかるレンジフードは、ＬＥＤ基板からの板金突合せ部等の意図しない箇所からの光漏れやＬＥＤ基板への油煙や蒸気の進入を防ぐことができることを可能とするものであるので、スペースがない空間にＬＥＤ照明を構成する機器等として有用である。
【符号の説明】
【００２６】
１  照明装置
２  シロッコファン
３  ファンケーシング
４  送風装置
５  薄型のフード部
６  基板ホルダー
７  ＬＥＤ素子
８  ＬＥＤ基板
９  ＬＥＤ基板取付部
１０  偏光部
１１  カバー
１２  レンズ
１３  レンズ取付面
１４  下方の周縁部の全周
１５  パッキン
【図１】
2015187529.tif 000003
【図２】
2015187529.tif 000004
【図３】
2015187529.tif 000005
【図４】
2015187529.tif 000006
【手続補正書】
【提出日】平成27年3月3日(2015.3.3)
【手続補正１】
【補正対象書類名】特許請求の範囲
【補正対象項目名】全文
【補正方法】変更
【補正の内容】
【特許請求の範囲】
【請求項１】
調理器の上方に設置され、内部にシロッコファンを有するファンケーシングを備えた送風装置と、前記送風装置の下部に下方に開口する薄型のフード部と、を備え、前記フード部の前方に前方から斜め下方の後方に向けて斜めに設置された複数個のＬＥＤからなる照明装置と、前記照明装置は前記薄型のフード部側に固定した複数個のＬＥＤ素子で構成されたＬＥＤ基板を取り付けるＬＥＤ取付部の下方に向けて広がるような偏光部を有した基板ホルダーと、前記基板ホルダーとＬＥＤ基板を覆うレンズ有したカバーを設け、前記基板ホルダーの前記偏光部の下方の周縁部の全周を、前記レンズの外周部でかつ前記カバーに連接し設置したことを特徴とするレンジフード。
【請求項２】
偏光部の下方の周縁部にパッキンを設けたことを特徴とする請求項１に記載のレンジフード。
【手続補正２】
【補正対象書類名】明細書
【補正対象項目名】００１１
【補正方法】変更
【補正の内容】
【００１１】
本発明のレンジフードは、調理器の上方に設置され、内部にシロッコファンを有するファンケーシングを備えた送風装置と、前記送風装置の下部に下方に開口する薄型のフード部とを備え、前記フード部の前方に下方に向けて斜めに設置された複数個のＬＥＤ素子からなる照明装置と、前記照明装置は前記フード部側に固定した複数個のＬＥＤ素子で構成されたＬＥＤ基板を取り付けるＬＥＤ取付部の全周から下方に向けて広がるような偏光部を有した基板ホルダーと、前記基板ホルダーとＬＥＤ基板を覆うレンズ有したカバーを設け、前記基板ホルダーの前記偏光部の下方の周縁部の全周を、前記レンズの外周部でかつ前記カバーに連接し設置した、という構成を有する。これにより、ＬＥＤ素子から出た光は偏光部内のみ照射され、油煙や蒸気は基板ホルダーの偏光部の下方の周辺部の全周とカバーとが接触している箇所でホルダー内部への侵入を防ぐこととなるので、ＬＥＤ素子からの光がフード本体とカバーの隙間すなわち板金突合せ部等の意図しない箇所から漏れることや、外部からＬＥＤ基板へ油煙や蒸気の進入を防ぐことができる、という効果を奏する。